(57)【要約】【課題】浴槽の側面を洗い場床側に出っ張らせた場合にも、洗い場床の排水口を覆うカバーを容易に着脱できる浴室ユニットを提供する。【解決手段】浴槽と、浴槽に隣接する洗い場床と、浴槽側に寄せて洗い場床に設けられ、底面に排水口を有する矩形状の凹部と、凹部内に嵌って排水口の上方を覆いつつ、洗い場床から排水口への排水を可能にする矩形状のカバーであって、第１辺と、第１辺と反対側の第２辺と、を有するカバーと、を備え、浴槽は、洗い場床との間に隙間を生じるよう洗い場床側に突出した側面部を有し、カバーは、凹部に取り付けられた状態において使用者が指を掛けることができる第１切り欠き部及び第２切り欠き部を有し、第１切り欠き部は第１辺の一端側に設けられるとともに、第２切り欠き部は第２辺の一端側に設けられることを特徴とする浴室ユニットである。【選択図】図１
2018119370.tif 000002
【特許請求の範囲】
【請求項１】
浴槽と、
前記浴槽に隣接する洗い場床と、
前記浴槽側に寄せて前記洗い場床に設けられ、前記洗い場床の床面よりも下方に凹み、底面に排水口を有する矩形状の凹部と、
着脱可能に前記凹部に取り付けられ、前記凹部内に嵌って前記排水口の上方を覆いつつ、前記洗い場床から前記排水口への排水を可能にする矩形状のカバーであって、第１辺と、前記第１辺と反対側の第２辺と、を有し、前記第１辺を前記浴槽側に向けた第１向き、及び前記第２辺を前記浴槽側に向けた第２向きで、前記凹部に取り付け可能なカバーと、
を備え、
前記浴槽は、前記洗い場床との間に隙間を生じるよう前記洗い場床側に突出した側面部を有し、
前記カバーは、前記凹部に取り付けられた状態において使用者が指を掛けることができる第１切り欠き部及び第２切り欠き部を有し、前記第１切り欠き部は前記第１辺の一端側に設けられるとともに、前記第２切り欠き部は前記第２辺の一端側に設けられることを特徴とする浴室ユニット。
【請求項２】
前記第２切り欠き部は、前記第１切り欠き部の対角に設けられることを特徴とする請求項１記載の浴室ユニット。
【請求項３】
前記凹部及び前記カバーは、前記第１辺及び前記第２辺と平行な方向の長さが、前記第１辺及び前記第２辺と直交する方向の長さよりも長い横長矩形状であることを特徴とする請求項１又は２に記載の浴室ユニット。
【請求項４】
前記側面部の下端は、前記凹部に取り付けられた前記カバーの前記洗い場床側の端部を軸に回転させて前記カバーを前記凹部から取り外す際に、前記カバーの前記浴槽側の端部、又は前記カバーを把持する手と接触する位置に配置されていることを特徴とする請求項１〜３のいずれか１つに記載の浴室ユニット。
【発明の詳細な説明】
【技術分野】
【０００１】
本発明の態様は、一般的に、浴室ユニットに関する。
【背景技術】
【０００２】
図９（ａ）に表したように、浴室に設置して使用される浴室ユニット１００において、洗い場床１２０との間に隙間ができるよう浴槽１１０の側面を洗い場床１２０側に出っ張らせることが知られている（例えば、特許文献１）。このように、浴槽１１０の側面を出っ張らせることで、例えば、浴槽１１０が浮いているような印象を使用者に与え、意匠性を向上させることができる。
【０００３】
洗い場床１２０は、排水口が底面に設けられた凹部１２２を有する。凹部１２２には、カバー１３０が嵌め込まれる。カバー１３０は、排水口などを覆い、排水口などが使用者に視認されてしまうことを抑制しつつ、洗い場床１２０に流れた水を凹部１２２内の排水口に排水可能とする。
【０００４】
凹部１２２は、浴槽１１０側に寄せて配置される。このため、凹部１２２の一部及びカバー１３０の一部は、浴槽１１０の側面の下方に配置される。これにより、凹部１２２やカバー１３０を使用者に視認し辛くし、洗い場床１２０の美観を向上させることができる。
【０００５】
また、図９（ａ）に表したように、このような浴室ユニット１００において、矩形状のカバー１３０の１つのコーナー部に切り欠き部１３０ａを設け、切り欠き部１３０ａが洗い場床１２０側を向くようにカバー１３０を凹部１２２に取り付けることにより、カバー１３０を着脱し易くすることも提案されている。
【０００６】
しかしながら、上記のように切り欠き部１３０ａを設けた場合、切り欠き部１３０ａを浴槽１１０側に向けて反対向きにカバー１３０を凹部１２２に取り付けてしまう可能性がある。カバー１３０を反対向きに取り付けてしまうと、使用者がカバー１３０を取り外す際に、図９（ｂ）に表したように、浴槽１１０の側面の下端と洗い場床１２０との間の狭い隙間に手を入れてカバー１３０を取り外さなければならず、カバー１３０を非常に取り外し辛くなってしまう。また、カバー１３０を持ち上げようとした際に、図９（ｂ）に表したように、カバー１３０と浴槽１１０との間に手を挟んでしまう可能性も生じる。
【０００７】
このため、浴室ユニットでは、浴槽の側面を洗い場床側に出っ張らせた場合にも、洗い場床の排水口を覆うカバーを容易に着脱できるようにすることが望まれる。
【先行技術文献】
【特許文献】
【０００８】
【特許文献１】特開２００９−３０３２５号公報
【発明の概要】
【発明が解決しようとする課題】
【０００９】
本発明は、かかる課題の認識に基づいてなされたものであり、浴槽の側面を洗い場床側に出っ張らせた場合にも、洗い場床の排水口を覆うカバーを容易に着脱できる浴室ユニットを提供することを目的とする。
【課題を解決するための手段】
【００１０】
第１の発明は、浴槽と、前記浴槽に隣接する洗い場床と、前記浴槽側に寄せて前記洗い場床に設けられ、前記洗い場床の床面よりも下方に凹み、底面に排水口を有する矩形状の凹部と、着脱可能に前記凹部に取り付けられ、前記凹部内に嵌って前記排水口の上方を覆いつつ、前記洗い場床から前記排水口への排水を可能にする矩形状のカバーであって、第１辺と、前記第１辺と反対側の第２辺と、を有し、前記第１辺を前記浴槽側に向けた第１向き、及び前記第２辺を前記浴槽側に向けた第２向きで、前記凹部に取り付け可能なカバーと、を備え、前記浴槽は、前記洗い場床との間に隙間を生じるよう前記洗い場床側に突出した側面部を有し、前記カバーは、前記凹部に取り付けられた状態において使用者が指を掛けることができる第１切り欠き部及び第２切り欠き部を有し、前記第１切り欠き部は前記第１辺の一端側に設けられるとともに、前記第２切り欠き部は前記第２辺の一端側に設けられることを特徴とする浴室ユニットである。
【００１１】
この浴室ユニットによれば、第１向きでカバーを凹部に取り付けた場合には、第２切り欠き部に指を掛けて洗い場床側からカバーを取り外すことができる。反対に、第２向きでカバーを凹部に取り付けた場合には、第１切り欠き部に指を掛けて洗い場床側からカバーを取り外すことができる。従って、浴槽の側面部を洗い場床側に出っ張らせた場合にも、洗い場床の排水口を覆うカバーを容易に着脱することができる。第１向き及び第２向きのいずれの向きでカバーを凹部に取り付けた場合でも、第１切り欠き部及び第２切り欠き部のいずれかが洗い場床側（浴槽とは反対側）に配置されるため、浴槽の側面部の下端と洗い場床との間の狭い隙間に手を入れる必要がなく、カバーと浴槽との間に手を挟んでしまうこともない。
【００１２】
第２の発明は、第１の発明において、前記第２切り欠き部は、前記第１切り欠き部の対角に設けられることを特徴とする浴室ユニットである。
【００１３】
この浴室ユニットによれば、第１向きでカバーを凹部に取り付けた場合でも、第２向きでカバーを凹部に取り付けた場合でも、洗い場床側の同じ位置に第１切り欠き部又は第２切り欠き部が配置されるため、カバーの着脱をより容易にすることができる。
【００１４】
第３の発明は、第１又は第２の発明において、前記凹部及び前記カバーは、前記第１辺及び前記第２辺と平行な方向の長さが、前記第１辺及び前記第２辺と直交する方向の長さよりも長い横長矩形状であることを特徴とする浴室ユニットである。
【００１５】
この浴室ユニットによれば、凹部及びカバーを横長矩形状とすることにより、カバーの洗い場床側への露出を抑えることができ、意匠性をより高めることができる。また、使用者などに利用される頻度の高い洗い場床の中央付近に水が溜まることを抑制し、浴室ユニットの快適性を向上させることもできる。
【００１６】
第４の発明は、第１〜第３のいずれか１つの発明において、前記側面部の下端は、前記凹部に取り付けられた前記カバーの前記洗い場床側の端部を軸に回転させて前記カバーを前記凹部から取り外す際に、前記カバーの前記浴槽側の端部、又は前記カバーを把持する手と接触する位置に配置されていることを特徴とする浴室ユニットである。
【００１７】
この浴室ユニットによれば、側面部の下端が、凹部に取り付けられたカバーの近傍に配置されている場合においても、第１切り欠き部及び第２切り欠き部により、手などを挟むことなくカバーを容易に着脱することができる。また、凹部に取り付けられたカバーの近傍に側面部の下端を配置することにより、浴槽が浮いているような印象を強くし、浴室ユニットの意匠性をより向上させることができる。
【発明の効果】
【００１８】
本発明の態様によれば、浴槽の側面を洗い場床側に出っ張らせた場合にも、洗い場床の排水口を覆うカバーを容易に着脱できる浴室ユニットが提供される。
【図面の簡単な説明】
【００１９】
【図１】実施形態に係る浴室ユニットを表す斜視図である。
【図２】実施形態に係る浴室ユニットを表す断面図である。
【図３】図３（ａ）及び図３（ｂ）は、実施形態に係る凹部及びカバーを表す斜視図である。
【図４】図４（ａ）及び図４（ｂ）は、実施形態に係るカバーを表す斜視図である。
【図５】図５（ａ）及び図５（ｂ）は、実施形態に係る凹部及びカバーを表す断面図である。
【図６】図６（ａ）及び図６（ｂ）は、実施形態に係る凹部及びカバーを表す断面図である。
【図７】実施形態に係るカバーの変形例を表す平面図である。
【図８】実施形態に係るカバーの変形例を表す平面図である。
【図９】参考の浴室ユニットを表す斜視図である。
【発明を実施するための形態】
【００２０】
以下、実施形態について図面を参照しつつ説明する。なお、各図面中、同様の構成要素には同一の符号を付して詳細な説明は適宜省略する。  
図１は、実施形態に係る浴室ユニットを表す斜視図である。  
図２は、実施形態に係る浴室ユニットを表す断面図である。  
図１及び図２に表したように、浴室ユニット１０は、浴槽１２と、洗い場床１４と、凹部１６と、カバー１８と、を備える。洗い場床１４は、浴槽１２に隣接して設けられる。浴室ユニット１０は、例えば、浴槽１２、洗い場床１４、及び周囲の壁面パネルなどをユニット化した、いわゆるユニットバスやシステムバスである。
【００２１】
以下、本願明細書では、上下方向をＺ軸方向、浴槽１２と洗い場床１４とが並ぶ方向をＸ軸方向（第１方向）、Ｚ軸方向及びＸ軸方向と直交する方向をＹ軸方向（第２方向）と、それぞれ呼ぶ場合がある。Ｙ軸方向は、換言すれば、洗い場床１４の床面１４ａと平行でＸ軸方向と直交する方向である。
【００２２】
凹部１６は、浴槽１２側に寄せて洗い場床１４に設けられる。凹部１６は、洗い場床１４の床面１４ａよりも下方に凹む。凹部１６は、底面１６ａを有する。また、凹部１６は、底面１６ａに設けられた排水口１６ｂを有する。
【００２３】
排水口１６ｂは、例えば、排水トラップなどを介して建築の排水管などに接続され、洗い場床１４側から流入した水を外部の排水管などに排水する。また、凹部１６は、例えば、浴槽１２内の水が排水された際に、浴槽１２から排水された水が洗い場床１４側に溢れ出てしまうことを抑制する。
【００２４】
排水口１６ｂには、例えば、ヘアキャッチャー２０が設けられる。ヘアキャッチャー２０は、排水口１６ｂに着脱可能に取り付けられる。ヘアキャッチャー２０は、複数の開口を有する格子状又は網状に形成され、毛髪やゴミなどが排水管に流れてしまうことを抑制する。ヘアキャッチャー２０は、必要に応じて設けられ、省略可能である。
【００２５】
凹部１６を上方から見た形状は、矩形状である。換言すれば、凹部１６の開口形状は、矩形状である。凹部１６は、例えば、略直方体状に凹んだ凹所である。凹部１６の一つの辺は、Ｘ軸方向に延びる。凹部１６の別の一つの辺は、Ｙ軸方向に延びる。底面１６ａを上方から見た形状は、必ずしも矩形状でなくてもよい。凹部１６は、少なくとも開口部の形状が矩形状であればよい。凹部１６の開口部の各辺は、僅かに湾曲していてもよい。
【００２６】
カバー１８は、着脱可能に凹部１６に取り付けられる。カバー１８を上方から見た形状は、矩形状である。カバー１８の外形形状は、凹部１６の開口形状に対応して形成されている。カバー１８は、凹部１６に取り付けられた状態において、凹部１６内に嵌って排水口１６ｂの上方を覆いつつ、洗い場床１４から排水口１６ｂへの排水を可能にする。
【００２７】
このように、カバー１８は、排水を可能にしつつ、排水口１６ｂやヘアキャッチャー２０などを覆い隠す。これにより、浴室ユニット１０の美観を向上させることができる。また、カバー１８の上面１８ａは、凹部１６に取り付けられた状態において、洗い場床１４の床面１４ａと略面一になる。略面一とは、例えば、一方の面と他方の面との位置の差が２ｍｍ以下の状態である。これにより、例えば、使用者などが凹部１６に足を引っ掛けてしまうことなどを抑制することができる。
【００２８】
浴槽１２は、洗い場床１４のとの間に隙間を生じるように洗い場床１４側に突出した第１側面部３１（側面部）を有する。第１側面部３１は、洗い場床１４側を向く。第１側面部３１は、換言すれば、浴槽１２の外側面である。第１側面部３１の下端３１ａの一部は、例えば、凹部１６に取り付けられたカバー１８の上方に位置する。第１側面部３１の下端３１ａは、必ずしも凹部１６に取り付けられたカバー１８の上方に位置していなくてもよい。
【００２９】
浴槽１２は、例えば、第２側面部３２と、下面部３３と、をさらに有する。第２側面部３２は、洗い場床１４側を向き、第１側面部３１よりも浴槽１２側に設けられている。下面部３３は、Ｘ軸方向に延び、第１側面部３１の下端３１ａと、第２側面部３２の上端と、を接続する。下面部３３は、換言すれば、第１側面部３１の下端３１ａから浴槽１２側に向かって延びる。下面部３３は、下方を向く面である。
【００３０】
第２側面部３２は、例えば、洗い場床１４の床面１４ａの浴槽１２側の端部から上方に向かって延びる。凹部１６は、例えば、第２側面部３２に近接して配置される。凹部１６の浴槽１２側の内側面は、例えば、第２側面部３２と略面一に形成される。第１側面部３１は、第２側面部３２よりも洗い場床１４側に突出する。第１側面部３１の突出量は、凹部１６のＸ軸方向の長さ未満である。これにより、第１側面部３１の下端３１ａの一部が、凹部１６に取り付けられたカバー１８の上方に位置する。
【００３１】
第１側面部３１、第２側面部３２、及び下面部３３は、例えば、浴槽１２の浴槽本体に着脱可能に取り付けられる浴槽エプロン（側面パネル）によって形成される。第１側面部３１、第２側面部３２、及び下面部３３は、例えば、浴槽１２の内側面と連続的に形成してもよい。すなわち、第１側面部３１、第２側面部３２、及び下面部３３は、浴槽１２の浴槽本体の外側面でもよい。
【００３２】
例えば、第２側面部３２は、洗い場床１４に一体に設けてもよい。第２側面部３２は、例えば、洗い場床１４の床面１４ａの端部から上方に立ち上がる立ち上がり部（土手部）でもよい。このように、第１側面部３１は、浴槽１２に設け、第２側面部３２は、洗い場床１４に設けてもよい。浴槽１２は、少なくとも第１側面部３１を有していればよい。
【００３３】
図３（ａ）及び図３（ｂ）は、実施形態に係る凹部及びカバーを表す斜視図である。  
図４（ａ）及び図４（ｂ）は、実施形態に係るカバーを表す斜視図である。  
図３（ａ）は、凹部１６にカバー１８を取り付けた状態を表す。  
図３（ｂ）は、凹部１６からカバー１８を取り外した状態を表す。  
図４（ａ）は、カバー１８を上方（表側）から見た状態を表す斜視図である。  
図４（ｂ）は、カバー１８を下方（裏側）から見た状態を表す斜視図である。
【００３４】
凹部１６は、例えば、カバー１８を載置するための一対の載置面１６ｃ、１６ｄを有する。載置面１６ｃ、１６ｄは、略水平面状である。略水平面とは、例えば、面内の最も高い位置と最も低い位置との差が２ｍｍ以下の平面である。また、載置面１６ｄは、載置面１６ｃと略面一である。載置面１６ｃ、１６ｄは、排水口１６ｂを挟んでＹ軸方向の両側に配置されている。
【００３５】
凹部１６は、例えば、端面１６ｅ、１６ｆを有する。端面１６ｅは、載置面１６ｃの浴槽１２側の一端と連続して設けられ、洗い場床１４側を向く。端面１６ｆは、載置面１６ｄの浴槽１２側の一端と連続して設けられ、洗い場床１４側を向く。
【００３６】
カバー１８は、第１辺４１と、第２辺４２と、を有する。第２辺４２は、第１辺４１と反対側の辺である。より詳しくは、カバー１８の矩形状の上面１８ａは、第１辺４１と、第１辺４１と反対側の第２辺４２と、を有する。カバー１８の上面１８ａは、例えば、第１辺４１の一端側から第２辺４２の一端側に向かって延びる第３辺４３と、第１辺４１の他端側から第２辺４２の他端側に向かって延びる第４辺４４と、をさらに有する。
【００３７】
第２辺４２は、第１辺４１と略平行である。第４辺４４は、第３辺４３と略平行である。また、第３辺４３及び第４辺４４は、第１辺４１及び第２辺４２と略直交する。略平行とは、例えば、２つの辺の成す角度が、２°以下の状態である。略直交とは、例えば、２つの辺の成す角度が、８９°以上９１°以下の状態である。カバー１８の外形形状は、例えば、矩形の平板状（直方体状）である。
【００３８】
第１辺４１及び第２辺４２の長さは、例えば、凹部１６のＹ軸方向の長さよりも僅かに短い程度（例えば１ｍｍ〜４ｍｍ程度）に設定される。第３辺４３及び第４辺４４の長さは、例えば、凹部１６のＸ軸方向の長さよりも僅かに短い程度に設定される。これにより、カバー１８を凹部１６内に嵌め易くすることができるとともに、凹部１６の内側面とカバー１８の外側面との間に空く隙間から洗い場床１４に流れた水を排水口１６ｂに排水することができる。
【００３９】
カバー１８の裏面側には、四隅のそれぞれに配置された４つの脚部１８ｂが設けられている。各脚部１８ｂのそれぞれにおいて、脚部１８ｂの下端から上面１８ａまでの長さ（高さ）は、寸法誤差の範囲内（例えば±０．５ｍｍ）において実質的に一定である。各脚部１８ｂは、水平面上に載置された状態において、上面１８ａを実質的に水平にする。
【００４０】
各脚部１８ｂは、凹部１６内に嵌った取付状態において、各載置面１６ｃ、１６ｄの上に載置される。これにより、凹部１６にカバー１８を取り付けた状態において、カバー１８の上面１８ａが、略水平になる。また、脚部１８ｂの下端から上面１８ａまでの長さは、載置面１６ｃ、１６ｄから床面１４ａまでの長さと実質的に同じである。従って、凹部１６にカバー１８を取り付けた状態において、カバー１８の上面１８ａが、洗い場床１４の床面１４ａと略面一になる。
【００４１】
カバー１８の上面１８ａの形状は、凹部１６の形状に対応する矩形状である。従って、カバー１８は、第１辺４１を浴槽１２側に向けた第１向きでも、第２辺４２を浴槽１２側に向けた第２向きでも、凹部１６内に嵌め込むことができる。そして、各脚部１８ｂは、第１辺４１を浴槽１２側に向けた状態でも、第２辺４２を浴槽１２側に向けた状態でも、各載置面１６ｃ、１６ｄの上に載置される。このように、カバー１８は、第１向き及び第２向きで、凹部１６に取り付け可能である。
【００４２】
カバー１８は、第１辺４１に沿う側面１８ｃと、第２辺４２に沿う側面１８ｄと、を有する。カバー１８は、第１向きで凹部１６に取り付けられた場合、側面１８ｃの両端部Ｓ１、Ｓ２を凹部１６の端面１６ｅ、１６ｆと対向させる。カバー１８は、第２向きで凹部１６に取り付けられた場合、側面１８ｄの両端部Ｓ３、Ｓ４を凹部１６の端面１６ｅ、１６ｆと対向させる。
【００４３】
載置面１６ｃ、１６ｄの数は、２つに限ることなく、１つでもよいし、３つ以上でもよい。また、脚部１８ｂの数は、４つに限ることなく、第１向き及び第２向きのそれぞれで凹部１６の載置面の上に載置可能な任意の数でよい。凹部１６及びカバー１８の形状は、上記に限ることなく、第１向き及び第２向きで取り付けが可能な任意の形状でよい。
【００４４】
凹部１６及びカバー１８は、例えば、第１辺４１及び第２辺４２と平行な方向の長さが、第１辺４１及び第２辺４２と直交する方向の長さよりも長い横長矩形状である。換言すれば、凹部１６及びカバー１８のＹ軸方向の長さは、凹部１６及びカバー１８のＸ軸方向の長さよりも長い。
【００４５】
凹部１６及びカバー１８のＹ軸方向の長さは、例えば、凹部１６及びカバー１８のＸ軸方向の長さと実質的に同じでもよい。すなわち、凹部１６及びカバー１８を上方から見た形状は、正方形状でもよい。あるいは、上記とは反対に、凹部１６及びカバー１８のＹ軸方向の長さを、凹部１６及びカバー１８のＸ軸方向の長さより短くしてもよい。
【００４６】
カバー１８は、第１辺４１の一端側に設けられた第１切り欠き部５１と、第２辺４２の一端側に設けられた第２切り欠き部５２と、を有する。この例において、第１切り欠き部５１は、第１辺４１の一端に設けられ、第２切り欠き部５２は、第２辺４２の一端に設けられる。換言すれば、第１切り欠き部５１は、矩形状のカバー１８の１つの角部に設けられ、第２切り欠き部５２は、矩形状のカバー１８の別の角部に設けられる。第２切り欠き部５２は、例えば、第１切り欠き部５１の対角に設けられる。この例において、カバー１８を上方から見た形状は、実質的に回転対称形である。
【００４７】
図５（ａ）及び図５（ｂ）は、実施形態に係る凹部及びカバーを表す断面図である。  
図５（ａ）及び図５（ｂ）に表したように、第１切り欠き部５１及び第２切り欠き部５２は、カバー１８を凹部１６に取り付けた状態において、使用者が指を掛けることが可能な形状に形成されている。このように、カバー１８は、凹部１６に取り付けられた状態において、第１切り欠き部５１及び第２切り欠き部５２のそれぞれに指を掛けることが可能である。第１切り欠き部５１及び第２切り欠き部５２は、凹部１６に取り付けられた状態のカバー１８に指を掛けられるようにするものである。例えば、指が掛からない程度の切り欠きは、第１切り欠き部５１及び第２切り欠き部５２に含まれるものではない。
【００４８】
これにより、カバー１８は、第２辺４２を浴槽１２側に向けた第２向きで凹部１６に取り付けた場合には、図５（ｂ）に表したように、洗い場床１４側に配置される第１切り欠き部５１に指を掛け、側面１８ｄの両端部Ｓ３、Ｓ４を凹部１６の端面１６ｅ、１６ｆに当接させ、カバー１８の浴槽１２側の端部を軸に回転させることで、凹部１６から取り外すことができる。そして、カバー１８は、上記と反対に、第１辺４１を浴槽１２側に向けた第１向きで凹部１６に取り付けた場合には、洗い場床１４側に配置される第２切り欠き部５２に指を掛け、側面１８ｃの両端部Ｓ１、Ｓ２を凹部１６の端面１６ｅ、１６ｆに当接させ、カバー１８の浴槽１２側の端部を軸に回転させることで、凹部１６から取り外すことができる。
【００４９】
第１切り欠き部５１及び第２切り欠き部５２の形状は、カバー１８が凹部１６に取り付けられた状態において指を掛けることが可能な任意の形状でよい。この例では、第２切り欠き部５２の形状が、第１切り欠き部５１の形状と実質的に同じである。第２切り欠き部５２の形状は、第１切り欠き部５１の形状と異なってもよい。
【００５０】
図６（ａ）及び図６（ｂ）は、実施形態に係る凹部及びカバーを表す断面図である。  
図６（ａ）及び図６（ｂ）に表したように、第１側面部３１の下端３１ａは、凹部１６に取り付けられたカバー１８の洗い場床１４側の端部を軸に回転させて、カバー１８を凹部１６から取り外す際に、カバー１８の浴槽１２側の端部、又はカバー１８を把持する手（指）と接触する位置に配置されている。
【００５１】
このように、第１側面部３１の下端３１ａは、凹部１６に取り付けられたカバー１８の上方において、カバー１８の近傍に配置される。浴槽１２の上端（リム面）は、洗い場床１４の床面１４ａよりも上方に位置する。第１側面部３１の下端３１ａは、例えば、浴槽１２の上端と洗い場床１４の床面１４ａとの高さ方向（Ｚ軸方向）の中央よりも下方に配置される。第１側面部３１の下端３１ａと洗い場床１４の床面１４ａとの間の高さ方向の距離Ｄ１は、例えば、１ｃｍ以上１０ｃｍ以下である。これにより、例えば、洗い場床１４に立った使用者が斜め上方から浴槽１２を見た際に、第２側面部３２が第１側面部３１によって覆い隠され、浴槽１２が床面１４ａから浮いているような印象を強くすることができる。
【００５２】
例えば、１つの切り欠き部しか有していないカバーにおいて、切り欠き部を浴槽１２側に向けて凹部１６に取り付けてしまった場合、使用者がカバーを取り外す際に、浴槽１２の第１側面部３１の下端３１ａと洗い場床１４との間の狭い隙間に手を入れてカバーを取り外さなければならず、カバーを非常に取り外し辛くなってしまう。また、カバーを持ち上げようとした際に、図６（ｂ）に表したように、カバーと第１側面部３１の下端３１ａとの間、もしくはカバーと下面部３３との間に手や指を挟んでしまう可能性も生じる。
【００５３】
これに対して、本実施形態に係る浴室ユニット１０では、カバー１８が、第１切り欠き部５１と第２切り欠き部５２とを有する。これにより、第１向きでカバー１８を凹部１６に取り付けた場合には、第２切り欠き部５２に指を掛けて洗い場床１４側からカバー１８を取り外すことができる。反対に、第２向きでカバー１８を凹部１６に取り付けた場合には、第１切り欠き部５１に指を掛けて洗い場床１４側からカバー１８を取り外すことができる（図５（ａ）及び図５（ｂ）参照）。従って、浴槽１２の第１側面部３１を洗い場床１４側に出っ張らせた場合にも、洗い場床１４の排水口１６ｂを覆うカバー１８を容易に着脱することができる。第１向き及び第２向きのいずれの向きでカバー１８を凹部１６に取り付けた場合でも、第１切り欠き部５１及び第２切り欠き部５２のいずれかが洗い場床１４側（浴槽１２とは反対側）に配置されるため、浴槽１２の第１側面部３１の下端３１ａと洗い場床１４との間の狭い隙間に手を入れる必要がなく、カバー１８と浴槽１２との間に手を挟んでしまうこともない。
【００５４】
また、浴室ユニット１０では、第２切り欠き部５２が、第１切り欠き部５１の対角に設けられている。これにより、第１向きでカバー１８を凹部１６に取り付けた場合でも、第２向きでカバー１８を凹部１６に取り付けた場合でも、同じ位置に第１切り欠き部５１又は第２切り欠き部５２が配置されるため、カバー１８の着脱をより容易にすることができる。
【００５５】
また、浴室ユニット１０では、凹部１６及びカバー１８が、第１辺４１及び第２辺４２と平行な方向の長さが、第１辺４１及び第２辺４２と直交する方向の長さよりも長い横長矩形状である。これにより、カバー１８の洗い場床１４側への露出を抑えることができ、意匠性をより高めることができる。また、使用者などに利用される頻度の高い洗い場床１４のＸ軸方向の中央付近に水が溜まることを抑制することができる。例えば、凹部１６に集中するように洗い場床１４の床面１４ａの排水勾配を形成する場合に、Ｘ軸方向に延びた縦長状の凹部及びカバーと比べて、床面１４ａに流れる水を、より浴槽１２側に寄せることができる。従って、浴室ユニット１０の快適性をより向上させることができる。
【００５６】
図７は、実施形態に係るカバーの変形例を表す平面図である。  
図７に表したように、第２切り欠き部５２は、第１切り欠き部５１と同じ側に設けてもよい。この場合には、第１向きでカバー１８を凹部１６に取り付けた場合と、第２向きでカバー１８を凹部１６に取り付けた場合とで、第１切り欠き部５１及び第２切り欠き部５２の位置が変化してしまうものの、上記実施形態と同様に、第１向き及び第２向きのそれぞれにおいて洗い場床１４側からカバー１８を取り外すことができ、カバー１８を容易に着脱することができる。
【００５７】
図８は、実施形態に係るカバーの変形例を表す平面図である。  
図８に表したように、第１切り欠き部５１の位置は、必ずしも第１辺４１の一端でなくてもよい。第２切り欠き部５２の位置は、必ずしも第２辺４２の一端でなくてもよい。換言すれば、第１切り欠き部５１及び第２切り欠き部５２は、必ずしも矩形状のカバー１８の角部に設けられていなくてもよい。
【００５８】
第１切り欠き部５１は、第１辺４１の一端側に寄せて設けられていればよい。第２切り欠き部５２は、第２辺４２の一端側に寄せて設けられていればよい。
【００５９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室ユニット１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６０】
１０ 浴室ユニット、  １２ 浴槽、  １４ 洗い場床、  １６ 凹部、  １８ カバー、  ２０ ヘアキャッチャー、  ３１ 第１側面部、  ３１ａ 下端、  ３２ 第２側面部、  ３３ 下面部、  ４１ 第１辺、  ４２ 第２辺、  ４３ 第３辺、  ４４ 第４辺、  ５１ 第１切り欠き部、  ５２ 第２切り欠き部、  １００ 浴室ユニット、  １１０ 浴槽、  １２０ 洗い場床、  １２２ 凹部、  １３０ カバー、  １３０ａ 切り欠き部
【図１】
2018119370.tif 000003
【図２】
2018119370.tif 000004
【図３】
2018119370.tif 000005
【図４】
2018119370.tif 000006
【図５】
2018119370.tif 000007
【図６】
2018119370.tif 000008
【図７】
2018119370.tif 000009
【図８】
2018119370.tif 000010
【図９】
2018119370.tif 000011